(57)【要約】【課題】  簡単にランプを交換可能なダンプトラック用前照灯を提供する。【解決手段】  ダンプトラック用前照灯において、ヘッドランプを収容可能であるとともに、底面に開口部を有するライトボックスと、ヘッドランプを固定するとともに、開口部を閉塞可能なライトカバーと、ライトカバーをライトボックスに固定する固定手段と、固定手段による固定を開放した場合にライトカバーの一端部をライトボックスから吊り下げる吊下手段と、を備えたことを特徴とするダンプトラック用前照灯。【選択図】        図３
2006111028.tif 000002
【特許請求の範囲】
【請求項１】
ダンプトラック用前照灯において、
ヘッドランプを収容可能であるとともに、底面に開口部を有するライトボックスと、
ヘッドランプを固定するとともに、開口部を閉塞可能なライトカバーと、
ライトカバーをライトボックスに固定する固定手段と、
固定手段による固定を開放した場合にライトカバーの一端部をライトボックスから吊り下げる吊下手段と、
を備えたことを特徴とするダンプトラック用前照灯。
【請求項２】
請求項１に記載のダンプトラック用前照灯において、
前記吊下手段が、
開口部の端部近傍に設けられた係止ベースと、
ライトカバーの端部に設けられ、係止ベースに引っかけられる引っかけ部と
を備えたことを特徴とするダンプトラック用前照灯。
【請求項３】
請求項１に記載のダンプトラック用前照灯において、
前記吊下手段がヒンジである
ことを特徴とするダンプトラック用前照灯。
【発明の詳細な説明】
【技術分野】
【０００１】
本発明は、ダンプトラック用前照灯に関する。
【背景技術】
【０００２】
図１４に、特許文献１に開示された前照灯１０１の斜視図を示す。図１４に示すように、ヘッドランプ１０４は、ランプブラケット１０３を介してライトカバー１０２に取り付けられ、ライトカバー１０２は、車体１０５に水平方向に開閉自在に結合されている。ライトカバー１０２を前方に開くことにより、ヘッドランプ１０４が露出し、ヘッドランプ１０４の交換やメンテナンスを行なえるようになっている。
【０００３】
【特許文献１】特開平１１−１２３９８１号公報
【発明の開示】
【発明が解決しようとする課題】
【０００４】
しかしながら、特許文献１は、公道を走るバス等の車両に応用するための技術であり、これをダンプトラックに応用することは、次のような問題がある。即ち、バスは悪路を走ることが少なく、一般的に前照灯１０１は、オペレータの身長よりも低い高さに設置されている。そのため、水平方向にライトカバー１０２を開閉しても、ヘッドランプ１０４が手の届く高さにあり、地面に立った状態でのランプ交換ができるようになっている。
【０００５】
これに対して、採掘現場等の悪路を走るダンプトラックにおいては、車体が巨大である上、走行路上の土砂が衝突するのを避けるために、前照灯はオペレータの身長よりも高い位置にあることが多い。そのため、ライトカバーを水平方向に開くと、ヘッドランプが高所にあるため、オペレータは脚立等に乗ったり、上を向いたりしてヘッドランプの交換作業を行なう必要があり、交換作業が難作業となる。
【０００６】
本発明は、上記の問題に着目してなされたものであり、簡単にランプを交換可能なダンプトラック用前照灯を提供することを目的としている。
【課題を解決するための手段】
【０００７】
上記の目的を達成するために、第１発明のダンプトラック用前照灯は、
ヘッドランプを収容可能であるとともに、底面に開口部を有するライトボックスと、
ヘッドランプを固定するとともに、開口部を閉塞可能なライトカバーと、
ライトカバーをライトボックスに固定する固定手段と、
固定手段による固定を開放した場合にライトカバーの一端部をライトボックスから吊り下げる吊下手段と、
を備えている。
また、第１発明を主体とする第２発明のダンプトラック用前照灯は、
前記吊下手段が、
ライトボックスの端部近傍に設けられた係止ベースと、
開口部の端部に設けられ、係止ベースに引っかけられる引っかけ部と
を備えている。
また、第１発明を主体とする第３発明のダンプトラック用前照灯は、
前記吊下手段がヒンジである。
【発明の効果】
【０００８】
第１発明により、ヘッドランプを固定したライトカバーを開いた際に、ライトカバーがライトボックスの下方に吊り下げられる。従って、ヘッドランプを交換する際に、ライトボックスよりも下方で作業を行なうことができ、安定性が増して作業の難度が減少する。
また第２発明により、簡単な構成で安価に吊下手段を構成できる。
また第３発明により、ヒンジでライトカバーを吊り下げるので、ライトカバーの開閉時の動きがスムーズになる。
【発明を実施するための最良の形態】
【０００９】
以下、図を参照しながら、本発明の実施形態を詳細に説明する。まず、第１実施形態を説明する。
図１は、一般的なダンプトラック１１を左前方から見た斜視図を示している。尚、以下の説明において、ダンプトラック１１の進行方向を前後方向と呼ぶ。また、上下方向及び前後方向に垂直な方向を左右方向と呼び、左右はダンプトラック１１の後方から見て定めるものとする。
【００１０】
図１において、ダンプトラック１１の図示しないフレームは、前輪１３Ｆ及び後輪１３Ｒによって支持されている。フレームの後部には、上下動自在の荷台であるボディ１２が搭載されている。またフレームの前部には、運転室１５が設けられている。
【００１１】
運転室１５の下部には、左右のフロントプレート１６，１６が設置されている。左右のフロントプレート１６，１６には、前方を照らす左右の前照灯１７，１７と、その外側に左右のウィンカ１８，１８とがそれぞれ設置されている。
【００１２】
図２に、フロントプレート１６の後方から見た、左側の前照灯１７の斜視図を示す。図２に示すようにフレーム２０の外側（図２では左側）端部には、図示しないボルトによって、中空のライトボックス１９が固定されている。ライトボックス１９の左側側面は外側板３４で、右側側面は内側板３９で、それぞれ塞がれている。外側板３４の下部は、ライトボックス１９よりも下方で右側へ曲がって、曲げ部２３を形成している。
【００１３】
また後述するように、ライトボックス１９の内部には、図示しないヘッドランプ及びウィンカランプが固定されている。ライトボックス１９の前面及び側面には、図示しない孔が設けられており、内蔵されたヘッドランプ及びウィンカランプの光を通すようになっている。
【００１４】
ライトボックス１９の底面には、後述する開口部が設けられており、図２ではライトカバー２８により塞がれている。ライトカバー２８は、固定手段であるボルト２２により、ライトボックス１９の底面に固定されている。ライトカバー２８には、ヘッドランプ３１の光軸合わせ用の図示しない光軸合わせ孔が設けられ、キャップ３５が光軸合わせ孔を塞いでいる。
【００１５】
図３に、図２のＰ部拡大図を示す。図３に示すように、外側板３４の曲げ部２３の端部上面には、ライトボックス１９に向かって門型の係止ベース２４が屹立している。係止ベース２４の上端部は、ライトボックス１９に固定されている。係止ベース２４には、その上部に上方に開いた切欠部２５が設けられている。また、切欠部２５の下方には、略方形の孔２６が設けられている。
【００１６】
ライトカバー２８の外側（図３では左側）端部は、前後方向の寸法が短くなっており、下方に曲げられて引っかけ部２９を形成している。引っかけ部２９には、内側（図３では右側）に突出する突出部３０が、溶接やボルト締め等によって固定されている。図３に示すように、ライトカバー２８をライトボックス１９に固定した状態では、突出部３０は係止ベース２４の孔２６内に入り込んでいる。
【００１７】
図４に、ライトカバー２８を開いた状態の、フロントプレート１６の後方から見た前照灯１７の斜視図を示す。図４に示すように、ライトカバー２８が開いた後には、ライトボックス１９の底面に、前述した開口部３３が現れている。
【００１８】
ライトカバー２８のライトボックス１９側の面（以下、上面と呼ぶ）には、所定の間隔をおいてランプブラケット２７が固定されている。ランプブラケット２７には、ヘッドランプ３１，３１とウィンカランプ３２とが固定されている。ヘッドランプ３１，３１とウィンカランプ３２とに接続された配線２１は、ライトボックス１９内を通って、ライトボックス１９の上部へと出ており、図示しない電源に接続されている。
【００１９】
後述するように、このときライトカバー２８の端部に設けられた引っかけ部２９は、係止ベース２４に引っかかっており、ライトカバー２８は、ライトボックス１９から吊り下げられている。即ち、引っかけ部２９及び突出部３０と、係止ベース２４とが、吊下手段を構成している。
【００２０】
以下に、引っかけ部２９及び突出部３０と、係止ベース２４との関係を詳述する。図５〜図７に、引っかけ部２９及び突出部３０と係止ベース２４とを、後方から見た断面図で示す。図５は、ライトカバー２８がボルト２２でライトボックス１９に固定されている状態、図６は、ボルト２２を外してライトカバー２８を途中まで開いた状態、図７は、ライトカバー２８が完全に開いて、ライトボックス１９から吊り下げられた状態を示している。
【００２１】
図５において、上述したように突出部３０は、係止ベース２４の孔２６に左方から入り込んでいる。図６に示すように、ボルト２２を外すとライトカバー２８がライトボックス１９から外れ、図６中時計回りに回転する（矢印３６参照）。このとき、突出部３０が、孔２６から抜ける。
【００２２】
図７は、ライトカバー２８が、図５の状態から時計回りに約９０度回転して、ライトボックス１９から吊り下げられた状態を示している。図７に示すように、ライトカバー２８の引っかけ部２９が、係止ベース２４の切欠部２５に嵌まり込み、引っかけ部２９と突出部３０との接合部が係止ベース２４に引っかかる。これにより、ヘッドランプ３１及び図示しないウィンカランプを固定したライトカバー２８が、ライトボックス１９から吊り下げられる。
【００２３】
以上説明したように第１実施形態によれば、ライトボックス１９からライトカバー２８を開いた際に、ライトカバー２８がライトボックス１９から吊り下げられ、支えなくても落下しなくなっている。また、ライトカバー２８が下方に開くので、ヘッドランプ３１やウィンカランプ３２の位置が下がり、ダンプトラック１１のように前照灯１７が高い位置にあるような場合において、ランプ３１，３２の交換作業等のメンテナンスが容易となる。
【００２４】
尚、上記の説明においては、突出部３０を引っかけ部２９に溶接やボルト等で固定するように説明したが、例えば図８に示すように、ライトカバー２８の端部をコの字型に曲げて、引っかけ部２９及び突出部３０を一体に構成するようにしてもよい。
【００２５】
また、係止ベース２４の形状として、開口部３３の端部近傍で、引っかけ部２９が引っかかるようなものであればよく、例えば図９に示すように、コの字型として、その上端部をライトボックス１９の底面に固定するようにしてもよい。また図１０に示すように、係止ベース２４を横に向けて、その端部をフロントプレート１６に固定してもよい。さらには図１１に示すように、棒状の部材をコの字型に曲げて係止ベース２４を形成し、その端部をライトボックス１９の底面やフロントプレート１６等に固定してもよい。
【００２６】
また、ライトカバー２８及びライトボックス１９の長手方向端部（左端部）に吊下手段を設けるように説明したが、例えば図１２に示すように、ライトカバー２８及びライトボックス１９の短手方向端部（前端部）に、引っかけ部２９及び突出部３０と係止ベース２４とに相当するような機能を有する吊下手段４０を設けてもよい。
【００２７】
また、ライトボックス１９をフレーム２０の側方に固定するように説明したが、これに限られるものではなく、ライトボックス１９をフレーム２０の下方に固定するようにしてもよい。また、ライトボックス１９をフレーム２０の一部としてもよい。即ちフレーム２０を外側へ延長し、延長したフレーム２０の底面に開口部３３を設け、その開口部３３をヘッドランプ３１を上面に固定したライトカバー２８で塞ぐようにしてもよい。
【００２８】
また、ボルト２２によってライトカバー２８をライトボックス１９に固定するように説明したが、これに限られるものではなく、例えばパッチン錠やキャッチクリップのようなワンタッチの固定手段を用いてもよい。
【００２９】
次に、第２実施形態を説明する。
図１３に、第２実施形態における、フロントプレート１６の後方から見た前照灯１７の斜視図（図３と略同一部位）を示す。図１３に示すように、ライトカバー２８の端部は、ヒンジ３７によってライトボックス１９に開閉自在に結合されている。これにより、ライトカバー２８を開いたときに、ライトカバー２８がライトボックス１９から吊り下がり、第１実施形態と同様に、ランプ３１，３２の交換作業が容易となる。
【図面の簡単な説明】
【００３０】
【図１】ダンプトラックの斜視図（第１実施形態）。
【図２】前照灯の斜視図（第１実施形態）。
【図３】図２のＰ部拡大図（第１実施形態）。
【図４】前照灯の斜視図（第１実施形態）。
【図５】図２のＰ部背面断面図（第１実施形態）。
【図６】図２のＰ部背面断面図（第１実施形態）。
【図７】図２のＰ部背面断面図（第１実施形態）。
【図８】前照灯の斜視図（第１実施形態）。
【図９】前照灯の斜視図（第１実施形態）。
【図１０】前照灯の斜視図（第１実施形態）。
【図１１】前照灯の斜視図（第１実施形態）。
【図１２】前照灯の斜視図（第１実施形態）。
【図１３】前照灯の斜視図（第２実施形態）。
【図１４】前照灯の斜視図（従来技術）。
【符号の説明】
【００３１】
１１：ダンプトラック、１２：ボディ、１３Ｆ：前輪、１３Ｒ：後輪、１５：運転室、１６：フロントプレート、１７：前照灯、１８：ウィンカ、１９：ライトボックス、２０：フレーム、２１：配線、２２：ボルト、２３：曲げ部、２４：係止ベース、２５：切欠部、２６：孔、２７：ランプブラケット、２８：ライトカバー、２９：引っかけ部、３０：突出部、３１：ヘッドランプ、３２：ウィンカランプ、３３：開口部、３４：外側板、３５：キャップ、３７：ヒンジ、３９：内側板、４０：吊下手段。
【図１】
2006111028.tif 000003
【図２】
2006111028.tif 000004
【図３】
2006111028.tif 000005
【図４】
2006111028.tif 000006
【図５】
2006111028.tif 000007
【図６】
2006111028.tif 000008
【図７】
2006111028.tif 000009
【図８】
2006111028.tif 000010
【図９】
2006111028.tif 000011
【図１０】
2006111028.tif 000012
【図１１】
2006111028.tif 000013
【図１２】
2006111028.tif 000014
【図１３】
2006111028.tif 000015
【図１４】
2006111028.tif 000016